(57)【要約】【課題】マルチメディアデータ再生において、追記された記憶媒体についても、レジューム再生を可能にする。【解決手段】マルチメディアデータ再生装置は、過去に再生した記憶媒体について、管理情報とレジュームポイントとを対応付けて記憶する記憶手段を有している。そして、再生対象の記憶媒体について、情報が追加された記憶媒体である追記記憶媒体であるか否かを識別し（Ｓ１２１）、追記記憶媒体であると識別したとき、再生対象の記憶媒体に情報が追加されていることを加味して、取得した管理情報と、記憶手段に記憶された管理情報とを比較し（Ｓ１２２−Ｓ１２５）、再生対象の記憶媒体が、過去に再生した記憶媒体と一致すると判断したとき、レジューム再生を行う（Ｓ１２６）。【選択図】図１２
2009223985.tif 000002
【特許請求の範囲】
【請求項１】
光磁気ディスクまたは半導体メモリ等の記憶媒体に書かれたマルチメディアデータを再生する装置において、レジューム再生を行う方法であって、
前記マルチメディアデータ再生装置は、過去に再生した記憶媒体について、管理情報とレジュームポイントとを対応付けて記憶する記憶手段を有しており、
再生対象の記憶媒体から、管理情報を取得し、
前記再生対象の記憶媒体が、情報が追加された記憶媒体である追記記憶媒体であるか否かを識別し、追記記憶媒体であると識別したとき、情報が追加されていることを加味して、取得した管理情報と、前記記憶手段に記憶された管理情報とを比較し、
前記再生対象の記憶媒体が、過去に再生した記憶媒体と一致すると判断したとき、前記レジュームポイントから、再生を再開する
ことを特徴とするレジューム再生方法。
【請求項２】
請求項１記載のレジューム再生方法において、
前記記憶媒体はディスクであり、
管理情報の比較において、ディスクのセッション情報を用いる
ことを特徴とするレジューム再生方法。
【請求項３】
請求項１記載のレジューム再生方法において、
前記記憶媒体は、ＦＡＴ構造を有するものであり、
管理情報の比較において、ＦＡＴのエントリ情報およびクラスタチェーン情報を用いる
ことを特徴とするレジューム再生方法。
【請求項４】
請求項３記載のレジューム再生方法において、
追記記憶媒体であるか否かの識別において、クラスタチェーンの最大位置を用いる
ことを特徴とするレジューム再生方法。
【請求項５】
請求項３記載のレジューム再生方法において、
前記クラスタチェーン情報として、レジュームポイントのファイルのクラスタチェーンを用いる
ことを特徴とするレジューム再生方法。
【請求項６】
請求項１記載のレジューム再生方法において、
前記記憶手段は、管理情報およびレジュームポイントと併せて、再生時の時刻を記憶するものであり、
現在時刻が、前記記憶手段に記憶された再生時の時刻から所定時間以上経過しているとき、レジューム再生を行わない
ことを特徴とするレジューム再生方法。
【発明の詳細な説明】
【技術分野】
【０００１】
ＣＤ／ＤＶＤ／ＨＤＤ等の光磁気ディスクや半導体メモリからのデータ再生技術に関する
【背景技術】
【０００２】
ＣＤまたはＭＤが再生できるプレーヤにおいて、従来のレジューム再生では、ディスクに書かれてあるＴＯＣ情報をディスク識別情報として利用して、前回の再生終了位置からの再生の再開をおこなうことができていた。
【特許文献１】特開平１０−２４１３４４号公報（第５頁、第５図）
【発明の開示】
【発明が解決しようとする課題】
【０００３】
特許文献１記載の方法では、追記していないＣＤ−ＤＡ/ＭＤ等であればＴＯＣ情報は一意に特定される。しかし、ＣＤ−Ｒ等の追記メディアやＭＤに追記した場合は、ＴＯＣ情報は更新されており、ディスク識別情報は、追記後の情報と異なっているため、再生ポイントは破棄され、ディスクの先頭より再生が開始される。
【０００４】
しかしながら、メディアへの追記の場合、追記される前のディスクに書かれている曲データには変化がないため、レジューム再生できるにもかかわらず、上記のようにレジューム再生の情報はクリアされ先頭からの再生に戻るという問題があった。
【０００５】
このような問題は、ディスクでの問題より、最近増加している半導体メモリを記憶媒体に使用している場合、常に追記更新が頻繁に行われるため、レジューム再生できないことはユーザーの利便性を損なうものであった。
【０００６】
また、レジューム再生機能については、常に機能するため、レジューム機能が不要であることについてユーザーが選択することができず、この面でも利便性が損なわれていた。
【０００７】
前記の問題に鑑み、本発明は、マルチメディアデータ再生において、追記された記憶媒体についても、レジューム再生を可能にすることを目的とする。
【課題を解決するための手段】
【０００８】
本発明は、光磁気ディスクまたは半導体メモリ等の記憶媒体に書かれたマルチメディアデータを再生する装置において、レジューム再生を行う方法として、前記マルチメディアデータ再生装置は、過去に再生した記憶媒体について、管理情報とレジュームポイントとを対応付けて記憶する記憶手段を有しており、再生対象の記憶媒体から管理情報を取得し、前記再生対象の記憶媒体が、情報が追加された記憶媒体である追記記憶媒体であるか否かを識別し、追記記憶媒体であると識別したとき、情報が追加されていることを加味して、取得した管理情報と、前記記憶手段に記憶された管理情報とを比較し、前記再生対象の記憶媒体が、過去に再生した記憶媒体と一致すると判断したとき、前記レジュームポイントから再生を再開するものである。
【発明の効果】
【０００９】
本発明によると、従来はレジューム再生できなかった、同一メディアに対する追記でのレジューム再生が可能になるため、ユーザ利便性が向上する。
【発明を実施するための最良の形態】
【００１０】
以下、本発明の実施の形態について、図面を参照して説明する。
【００１１】
図１は光磁気ディスクや、メモリカード、ＵＳＢ経由で接続された半導体メモリに記録されているマルチメディアデータを再生する装置の構成を示すブロック図である。
【００１２】
図１では、光磁気ディスク１に入射したレーザ光は光磁気ディスク１で反射し、レンズ２を通して光ピックアップ３に到達する。光ピックアップ３は到達したレーザ光を電気信号に変換し、その変換された電気信号がヘッドアンプ４で増幅され、フォーカスエラー信号及びトラッキングエラー信号に合成される。
【００１３】
フォーカスエラー信号及びトラッキングエラー信号は、ＣＰＵ内蔵サーボ＆信号処理ＬＳＩ５に入力される。ＣＰＵ内蔵サーボ＆信号処理ＬＳＩ５は、フォーカスエラー信号に基づいてフォーカスサーボ処理を行う。その処理により得られる制御信号はドライバ６により増幅されてフォーカスモータに伝えられ、フォーカスモータを通してレンズ２の動作を制御する。
【００１４】
また、ＣＰＵ内蔵サーボ＆信号処理ＬＳＩ５は、トラッキングエラー信号に基づいてトラッキングサーボ処理及びトラバースサーボ処理を行う。それぞれの処理により得られる制御信号はドライバ６により増幅されてトラッキングモータ及びトラバースモータにそれぞれ伝えられ、トラッキング制御及びトラバース制御が行われる。さらに、ＣＰＵ内蔵サーボ＆信号処理ＬＳＩ５は、同期信号に基づいてＣＬＶ（Constant Linear Velocity）サーボ処理を行う。その処理により得られる制御信号は、ドライバ６を通じてスピンドルモータ７に伝えられ、スピンドルモータ７の回転数を制御する。
【００１５】
ＣＰＵ内蔵サーボ＆信号処理ＬＳＩ５の信号処理回路は、光磁気ディスク１に書き込まれている信号を復調する。そして、光磁気ディスク１が例えばＣＤ−ＤＡ（Compact Disk-digital Audio）ディスクである場合、図２に示すように４バイトの論理レコードＬＲ単位で記録されるフォーマットで、音楽等の音声データがメモリ９に記憶される。したがって、メモリ９には、音声データ（音楽データ等）のみが記憶されることになる。メモリ９に記憶された音声データは、内蔵のＤＦ-ＤＡＣ（Digital Filter - Digital Analog Converter）回路においてＤＡ（Digital-Analog）変換され、アナログ音声として出力される。
【００１６】
また、光磁気ディスク１がＣＤ−ＲＯＭディスクである場合には、図３に示すようにＳＹＮＣ（同期データ）、ＨＥＡＤＥＲ（アドレスデータ）、ＤＡＴＡ（実際のデータ）、ＥＤＣ（エラー検出データ）、ＥＣＣ（エラー訂正データ）から構成されるフォーマットで、映像＆音楽等のマルチメディアデータがメモリ９のＤＡＴＡ部分に記憶される。したがって、図３に示すフォーマットにおけるＤＡＴＡ部分のみが、ＣＰＵ内蔵サーボ＆信号処理ＬＳＩ５のＡＶデコーダにおいて圧縮データがデコードされ、映像＆音声データはＤＦ−ＤＡＣ回路においてＤＡ変換され、映像＆アナログ音声として出力される。
【００１７】
また、メモリカードやＵＳＢ経由の半導体メモリ１０からの再生の場合には、メモリに保存されたマルチメディアデータがメモリ９のＤＡＴＡ部分に記憶され、ＣＰＵ内蔵サーボ＆信号処理ＬＳＩ５のＡＶデコーダにおいて圧縮データがデコードされ、映像＆音声データはＤＦ−ＤＡＣ回路においてＤＡ変換され、映像＆アナログ音声として出力される。
【００１８】
また、図４に示すようにメモリ９は、トラックバッファと呼ばれるマルチメディアデータを蓄積する部分とファイルやディレクトリの諸情報を蓄積する一時メモリとバックアップメモリとに分割されている。ここで、バックアップメモリは図示では一体に構成されているが別のメモリであってもかまわない。
【００１９】
（第１の実施形態）
図５〜図７は本実施形態に係るレジューム再生のフローであり、レジューム再生の対象がディスクの場合を示している。図５はディスク解析処理、図６はレジューム再生処理、図７は追記レジューム再生処理を示す。
【００２０】
図５に示すように、ディスク解析処理ではまず、ＣＤ−ＲＯＭまたはＤＶＤ−ＲＯＭ等の光ディスクにおいて、ＴＯＣ情報を読み込む（Ｓ５１）。その後ＴＯＣ情報からマルチセッションであると判別された場合、次のセッションに移動し、先と同様に次のセッションのＴＯＣ情報を読み込む。このような処理をセッションがなくなるまで繰り返す（Ｓ５２）。全てのセッションのＴＯＣ情報を取得した後、これらを記憶手段に保存する（Ｓ５３）。
【００２１】
また、ディスクがＣＤ−ＤＡではなく、圧縮データ等が記録されたＣＤ−ＲＯＭ等のＲＯＭディスクである場合は（Ｓ５４）、この後、最終セッションのボリュームレコード解析（Ｓ５５）、パステーブル解析（Ｓ５６）、ディレクトリレコード解析（Ｓ５７）を行う。そして、ファイルの諸情報、および再生するファイルのディスク上の位置（例えば先頭位置とそのサイズ）を記憶手段に保存する（Ｓ５８）。
【００２２】
具体例として、ＩＳＯ９６６０フォーマット（以下ＩＳＯとする）について、図８〜図１０に示す。図８はＩＳＯ９６６０フォーマットディスクの構造、図９はパステーブル、図１０はディレクトリレコードを示す。ＩＳＯでは、ボリューム記述子、パステーブル、ディレクトリレコードでディスクの情報が記録されている。まず、ボリューム記述子は基本ボリューム記述子、副ボリューム記述子、終端記述子で構成されている。ディスク情報を解析する場合、まず、基本ボリューム記述子または副ボリューム記述子のデータを解析し、パステーブルの位置を取得する。
【００２３】
次にレジューム再生処理では、上のディスク解析処理によって取得されたセッション情報やファイル情報等について、以前にディスク再生したときに保存されている管理情報と比較する。この管理情報は、ＣＤ−ＤＡディスクであれば、一般的なＴＯＣ情報であるトラック数、各トラックの先頭の位置情報、リードアウト時間等が相当する。ＲＯＭディスクであれば、ファイル数やその位置情報等が相当する。すなわち、レジューム再生のために比較を行う「管理情報」とは、ＣＤ−ＤＡの場合は、セッション情報（＝各セッションのＴＯＣ情報）であり、ＲＯＭディスクの場合は、セッション情報＋ファイル情報（＝ディスク情報）である。
【００２４】
すなわち図６に示すように、今回再生しようとしているディスクと前回再生したディスクとについて、管理情報を比較する（Ｓ６１）。管理情報が一致しているときは、レジューム再生手順として、以前再生していたポイント（レジュームポイント）をメモリから取り出し（Ｓ６２）、以前再生していたトラックまたはファイルの位置から再生を行う（Ｓ６３）。管理情報が一致していないときは、レジューム保存データを破棄して（Ｓ６４）、そのディスクの先頭曲を指定し通常再生する（Ｓ６５）。
【００２５】
このレジューム再生処理では、今回再生しようとしているディスクと前回再生されていたディスクとについて、管理情報が一致している場合に、同一ディスクであるとしてレジューム再生を行っている。これに対して図７に示す追記レジューム再生処理では、今回再生しようとしているディスクが、前回再生していたディスクとメディア的には同一であるが、データが追記されていることを管理情報を用いて識別し（Ｓ７１）、この場合にレジューム再生を行う（Ｓ７２，Ｓ７３）。データが追記されたディスクであることを識別する手法については、以下に説明する。
【００２６】
まず、ＣＤ及びＤＶＤ等の光ディスクでは、ディスクの構造は基本的に図１１に示すようであり、データが追記される毎にセッション単位で情報が追記される。このとき、セッションには必ずそのセッションの情報がかかれたＴＯＣ（コンテンツの目次情報）が記載されている。ここで述べる識別方法は、例えば２セッション目が追記された情報であるとき、１セッション目までの情報について比較一致を行う方法である。ＣＤ−ＤＡの場合は、追記される前の情報のみでレジューム再生が可能である。
【００２７】
図１２はこの方法の手順を示すフローである。まず、管理情報より追記されたディスクであることを識別する（Ｓ１２１）。追記されたディスクでないときはレジューム処理をしない。次に、レジューム保存された情報を記憶手段よりを読み出す（Ｓ１２２）。そして、セッション数がレジューム保存された情報と同じかどうかを判断する（Ｓ１２３）。同じであるときは、従来のＴＯＣによる識別を行う（Ｓ１２８）。同じでないときは、セッション数がレジューム保存された情報よりも多いかどうかを判断する（Ｓ１２４）。そしてセッション数がレジューム保存された情報よりも多いときは、前回のディスクと同じセッションまでのＴＯＣ情報が一致するかどうかを判断し（Ｓ１２５）、一致するときは、追記ディスクと判別し、レジューム情報を読み出し前回の再生ポイントからの再生を開始する（Ｓ１２６）。このとき当然、管理情報について、追記されたセッションのＴＯＣ情報を追加するための更新を行う。一方、そうでないときは、レジュームなし再生を行う（Ｓ１２７）。
【００２８】
次に、ＣＤ−ＲＯＭまたはＤＶＤ−ＲＯＭ等の光ディスクでは、ディスクの構造は基本的に図１３に示すようであり、データが追記される毎にセッション単位で情報が追記される。このとき、セッションには必ずそのセッションの情報がかかれたＴＯＣ（コンテンツの目次情報）が記載されている。また、データディスクの場合は、図１３に示すような内部データ構造を記述した情報が記録される。つまり、ボリューム情報、パステーブル情報、ディレクトリエントリ情報が、追記される毎にセッションに記録される。また、追記された部分、たとえば第２セッションの管理情報等は基本的に第１セッションの情報を包含するように追記されることが一般的である。このため、ここで述べる識別方法では、追記されたセッションの管理情報の解析のみを行う。
【００２９】
図１４はこの方法の手順を示すフローである。まず、管理情報より追記されたディスクであることを識別する（Ｓ１４１）。追記されたディスクでないときはレジューム処理をしない。次に、レジューム保存された情報を記憶手段よりを読み出す（Ｓ１４２）。そして、セッション数がレジューム保存された情報と同じかどうかを判断する（Ｓ１４３）。同じであるときは、従来のＴＯＣによる識別を行う（Ｓ１４Ａ）。同じでないときは、セッション数がレジューム保存された情報よりも多いかどうかを判断する（Ｓ１４４）。そしてセッション数がレジューム保存された情報よりも多いときは、前回のディスクと同じセッションまでのＴＯＣ情報が一致するかどうかを判断する（Ｓ１４５）。ここまでの手順は、上述したＣＤ−ＤＡの場合と同じである。
【００３０】
ＲＯＭデータの場合は、ファイル情報はＴＯＣではなく、ディレクトリエントリ等に書かれている。このため、ＴＯＣ情報が一致するとき、ボリューム解析を行い（Ｓ１４６）、ディレクトリエントリ等の情報から、レジューム再生しようとするファイルが存在し、かつその情報が前のセッション情報位置にあることを確認（Ｓ１４７）してから、レジューム再生を行う（Ｓ１４８）。一方、確認できなかったときは、レジュームなし再生を行う（Ｓ１４９）。
【００３１】
このように構成することにより、ＣＤ−ＤＡだけではなくＣＤ／ＤＶＤ−ＲＯＭディスクでの追記レジュームが可能になり、ユーザーの利便性が向上する。
【００３２】
（第２の実施形態）
まず、半導体メモリを使用したメモリカード及びＨＤＤ等での一般的なデータ構造を図１５に示す。図１５は一般的なＦＡＴ（File Allocation Table）による構造を示しており、その内容は、ＭＢＲ（Master  Boot  Record）、ＦＡＴテーブル、ルートディレクトリエントリ等の管理領域とユーザデータ領域とに分かれている。
【００３３】
ＦＡＴ構造は、クラスタと呼ばれる単位で実際のユーザ領域のファイルは管理されており、ＨＤＤまたはメモリ上の実体位置はクラスタ番号によって識別される。クラスタはＨＤＤまたはメモリの最小管理単位であるセクタが数セクタ単位になったものであり、この情報はＭＢＲより識別される。
【００３４】
ディレクトエントリで識別されるファイル情報については、その位置がクラスタ番号で示されている。ファイルの位置情報はクラスタ番号によって定義され、図１６で示すＦＡＴテーブルに各クラスタ番号間の継承関係を示すようになっている。
【００３５】
図１７を用いて、本実施形態における再生の流れを説明する。まず、ＭＢＲにある管理情報を取得し（Ｓ１７１）、ＦＡＴサイズ等の情報を取得する（Ｓ１７２）。次に、今回取得したＦＡＴサイズと前回記憶したＦＡＴサイズを比較する（Ｓ１７３）。このとき、ＦＡＴサイズが同じか大きい場合のみレジューム処理を行う。通常の追記ではＦＡＴサイズが大きくなるため、この比較を行う。
【００３６】
ＦＡＴエントリの内容が前回の解析したＦＡＴエントリの内容の部分まで同じ場合（Ｓ１７４）、レジューム処理を継続し、そうでない場合はレジューム処理を行わず通常再生となる（Ｓ１７９）。ＦＡＴエントリの内容の比較については、図１６に示すクラスタチェーン情報について、前回解析したエントリ情報までの部分が同じで、しかも、エントリ追記部分が確認できるため本発明の判別可能になる。
【００３７】
上記判別後、ディレクトリエントリ解析（Ｓ１７５）後、最終のファイルの整合性の確認のため前回のレジュームするファイルがあることを確認し（Ｓ１７７）、前回のレジューム情報の位置から再生が再開、レジューム再生が行われる（Ｓ１７８）。
【００３８】
したがって、本実施形態のレジューム再生において、ＨＤＤ＆メモリの場合は、ＭＢＲからディレクトエントリ情報を取得して、従来はそのディレクトリ数やファイル位置で行っていたものをＦＡＴ情報の追記前後での比較を行うことで、追記判別が可能になり、追記レジューム動作が可能になる。
【００３９】
また本実施形態において、図１６に示すように、追記前と追記後については、クラスタチェーンの最大位置が変化するため、この位置をディスク解析時に保存し、次回再生時に比較することで、追記されているかどうかが判別可能になる。
【００４０】
また本実施形態において、前回の再生ポイントの位置のファイルのＦＡＴテーブル情報は、図１６に示すように特定の位置に固定されており、その内容も移動消去されない限り変化しない。したがって、そのファイルのＦＡＴテーブル情報自体の位置とクラスタチェーンを保存し、ＨＤＤまたはメモリ装着時にそのテーブルのみを比較することでＦＡＴテーブル全体が変化しているとしてもレジュームが可能かどうかは判別可能になる。ここで、より厳密にするのであれば、ディレクトエントリ情報やファイル名についての一致を確認してからレジューム再生を行えば、誤判別も防止できる。また、このクラスタチェーンによるレジュームは、通常、ディレクトリエントリ解析をすべて行ってから、レジューム可否の判別を行う場合には、どうしてもエントリ解析に時間がかかっていたが、上記ＦＡＴテーブルのみの判別で一旦レジューム再生を行い、マルチメディアデータの再生を行いながら、その他のデータは追記や消去されている可能性もあるため、ディレクトリエントリの解析を行うことで、無効な曲の再生をすることなく解析時間の大幅な改善が図れるという利点もある。
【００４１】
（第３の実施形態）
次に、カレンダ使用によるレジューム機能ＯＮ／ＯＦＦ機能について、図１８を用いて説明する。
【００４２】
まず、再生時に、再生時の時刻を取得し、レジューム情報として記憶手段に保存する（Ｓ１８１）。次に、レジューム処理であるかを確認し（Ｓ１８２）、レジューム情報であれば、前回レジューム保存したカレンダデータとの比較を行う（Ｓ１８３）。カレンダ情報が一定期間以内であれば、レジューム再生を行う（Ｓ１８４，Ｓ１８５）。すなわち、現在時刻が、記憶手段に記憶された再生時の時刻から所定時間以上経過しているとき、再生の再開を行わない。
【００４３】
このようにすることで、不必要に古いレジューム機能が動作することがなくなり、利便性が向上する。
【産業上の利用可能性】
【００４４】
本発明のマルチメディア再生装置は、メモリカード＆ＵＳＢ対応機器やＣＤ／ＤＶＤプレーヤについて外付けのメモリ等を使用することなく、ユーザー利便性や起動時間の改善が期待できる。
【図面の簡単な説明】
【００４５】
【図１】マルチメディア再生装置のシステム構成図である。
【図２】ＣＤ−ＤＡフォーマットを示す図である。
【図３】ＣＤ−ＲＯＭフォーマットを示す図である。
【図４】メモリ構成を示す図である。
【図５】本発明の第１の実施形態に係るレジューム再生のフローであって、ディスク解析処理を示す図である。
【図６】本発明の第１の実施形態に係るレジューム再生のフローであって、レジューム再生処理を示す図である。
【図７】本発明の第１の実施形態に係るレジューム再生のフローであって、追記レジューム再生処理を示す図である。
【図８】ＩＳＯ９６６０フォーマットを示す図である。
【図９】ＩＳＯ９６６０フォーマットを示す図である。
【図１０】ＩＳＯ９６６０フォーマットを示す図である。
【図１１】ＣＤ及びＤＶＤ等の光ディスクの構造を示す図である。
【図１２】ＣＤ−ＤＡ等における追記レジューム再生のフローを示す図である。
【図１３】ＣＤ−ＲＯＭまたはＤＶＤ−ＲＯＭ等の光ディスクの構造を示す図である。
【図１４】ＣＤ−ＲＯＭ等における追記レジューム再生のフローを示す図である。
【図１５】メモリカード及びＨＤＤ等の一般的なデータ構造を示す図である。
【図１６】ＦＡＴ構造を示す図である。
【図１７】本発明の第２の実施形態に係るレジューム再生のフローである。
【図１８】本発明の第３の実施形態に係るレジューム再生のフローである。
【符号の説明】
【００４６】
１  光ディスク
９  メモリ（記憶手段）
１０  メモリカード、ＵＳＢ
【図１】
2009223985.tif 000003
【図２】
2009223985.tif 000004
【図３】
2009223985.tif 000005
【図４】
2009223985.tif 000006
【図５】
2009223985.tif 000007
【図６】
2009223985.tif 000008
【図７】
2009223985.tif 000009
【図８】
2009223985.tif 000010
【図９】
2009223985.tif 000011
【図１０】
2009223985.tif 000012
【図１１】
2009223985.tif 000013
【図１２】
2009223985.tif 000014
【図１３】
2009223985.tif 000015
【図１４】
2009223985.tif 000016
【図１５】
2009223985.tif 000017
【図１６】
2009223985.tif 000018
【図１７】
2009223985.tif 000019
【図１８】
2009223985.tif 000020